【手続補正書】
【提出日】平成24年6月20日(2012.6.20)
【手続補正１】
【補正対象書類名】特許請求の範囲
【補正対象項目名】全文
【補正方法】変更
【補正の内容】
【特許請求の範囲】
【請求項１】
接触面（４）上にある少なくとも１の対象の位置を決定するための装置であって、当該装置が：
前記接触面（４）と対向面（５）とを規定するパネル（１）と；
前記接触面（４）と前記対向面（５）との間の内部反射による伝播用に少なくとも２のビーム（Ｂ１ないしＢ６）の放射線を前記パネル（１）に誘導し、感知領域内の前記接触面（４）に沿って各々のビーム（Ｂ１ないしＢ６）を掃引するように構成される照射機構であって、これによって、前記感知領域内の前記接触面（４）に接触する対象が、前記少なくとも２のビーム（Ｂ１ないしＢ６）の一時的な減衰を生じさせる照射機構と；
前記感知領域の前記パネル（１）の下流上の細長い１以上の出力結合部位に沿って掃引されるように前記パネル（１）の外に前記少なくとも２のビーム（Ｂ１ないしＢ６）を結合するための検出機構であって、前記細長い１以上の出力結合部位に光学接続され、かつ前記細長い１以上の出力結合部位内で受信される前記各々のビーム（Ｂ１ないしＢ６）のエネルギーを測定するように構成される少なくとも１の光センサ（３；３’）を具える検出機構と；
当該検出機構に接続され、時間の関数として各々の前記細長い１以上の出力結合部位内の異なる空間位置で受信される前記各々のビーム（Ｂ１ないしＢ６）のエネルギーを示す出力信号（Ｓ１、Ｓ２）を取得するように構成され、前記出力信号（Ｓ１、Ｓ２）に基づいて前記対象の位置を同定するように構成されるデータ処理装置（７）と；を具えており、
前記少なくとも２のビーム（Ｂ１ないしＢ６）が相互に鋭角となる第１の集合のビーム（Ｂ１、Ｂ２、Ｂ４）を具え、前記照射機構が前記パネル（１）にわたる第１の主方向（Ｒ１）において相互に鋭角となる前記第１の集合のビーム（Ｂ１、Ｂ２、Ｂ４）を掃引するように構成されており、前記第１の集合のビーム（Ｂ１、Ｂ２、Ｂ４）は３０°以下、好適には２０°以下の最大鋭角を有することを特徴とする装置。
【請求項２】
請求項１に記載の装置において、前記データ処理装置（７）が、前記対象由来の信号特性（Ｐ１、Ｐ２）の集合を前記出力信号（Ｓ１、Ｓ２）において同定し、各々の信号特性（Ｐ１、Ｐ２）に基づいて前記感知領域にわたる減衰光の経路のうちの少なくとも一部を決定し、このように決定された前記減衰光の経路に基づいて前記対象の位置を同定するように構成されることを特徴とする装置。
【請求項３】
請求項２に記載の装置において、前記データ処理装置（７）が前記感知領域にわたって、前記出力信号（Ｓ１、Ｓ２）における各々の信号特性（Ｐ１、Ｐ２）のうちの少なくとも１の時点の、光路へのマッピングを行うことによって、前記減衰光の経路を決定するように構成されることを特徴とする装置。
【請求項４】
請求項３に記載の装置において、前記データ処理装置が前記マッピング時に、前記出力信号（Ｓ１、Ｓ２）における各々の信号特性（Ｐ１、Ｐ２）のうちの少なくとも１の時点を前記１以上の出力結合部位内の空間位置にマッピングするように構成されることを特徴とする装置。
【請求項５】
請求項２に記載の装置において、前記データ処理装置（７）が、各々の出力信号（Ｓ１、Ｓ２、Ｓ３）における時点の数列を前記１以上の出力結合部位内の空間位置の対応する数列にマッピングし、このようにマッピングされた出力信号（Ｓ１’、Ｓ２’、Ｓ３’）における信号特性（Ｐ１’、Ｐ２’；Ｐ１ａ’、Ｐ１ｂ’、Ｐ２ａ’、Ｐ２ｂ’）の集合を同定するように構成されることを特徴とする装置。
【請求項６】
請求項１ないし５のいずれか１項に記載の装置において、前記照射機構が前記感知領域内で、主方向が実質的に不変な各々のビームを平行移動させることによって、前記第１の集合のビーム（Ｂ１、Ｂ２、Ｂ４）を掃引するように構成されることを特徴とする装置。
【請求項７】
請求項１ないし６のいずれか１項に記載の装置において、前記検出機構が、前記出力結合部位と整列して、かつ光学的に対向して配置され、前記第１の集合のビーム（Ｂ１、Ｂ２、Ｂ４）のうちの少なくとも１つを共通の検出点（Ｄ１、Ｄ２）上で受信及び再配向するように構成される固定式の再配向デバイス（１０Ａ、１０Ｂ）を具える一方、前記少なくとも１のビームが前記接触面（４）に沿って掃引され；検出機構が前記出力結合部位内で受信される前記エネルギーを前記共通の検出点（Ｄ１、Ｄ２）で測定するように構成されることを特徴とする装置。
【請求項８】
請求項７に記載の装置において、前記固定式の再配向デバイス（１０Ａ、１０Ｂ）が出力焦点面（ｆｏｕｔ）を規定する細長い光学要素を具え、前記少なくとも１のビームが前記感知領域内で掃引されると同時に、実質的に不変な入射角で前記細長い光学要素（１０Ａ、１０Ｂ）に沿って掃引されるように、前記照射機構が構成されることを特徴とする装置。
【請求項９】
請求項８に記載の装置において、前記細長い光学要素（１０Ａ、１０Ｂ）が、前記第１の集合の少なくとも２のビーム（Ｂ１、Ｂ２、Ｂ４）を各々の入射角で受信するように構成され、前記検出機構が少なくとも２の光センサ（３）を具えて、前記第１の集合の前記各々のビーム（Ｂ１、Ｂ２、Ｂ４）のエネルギーを測定すべく、前記出力焦点面（ｆｏｕｔ）の別個の位置に配置されることを特徴とする装置。
【請求項１０】
請求項１ないし９のいずれかに記載の装置において、前記照射機構が：回転軸周りで入力ビームを掃引するように構成されるビーム走査デバイス（８Ａ、８Ｂ）と；このように掃引された前記入力ビームを受信し、主方向（Ｒ１、Ｒ２）に平行移動される一方、主方向が実質的に不変な少なくとも１の出力ビームを生成するように構成される固定式のビーム配向デバイス（１４Ａ、１４Ｂ）と；を具え、前記少なくとも１の出力ビームが前記パネル（１）に結合され、これによって前記感知領域内で前記接触面（４）に沿って掃引される前記少なくとも２のビーム（Ｂ１ないしＢ６）のうちの少なくとも１つを形成することを特徴とする装置。
【請求項１１】
請求項１０に記載の装置において、前記ビーム配向デバイス（１４Ａ、１４Ｂ）が入力焦点面（ｆｉｎ）を規定する細長い光学要素を具え、前記回転軸が前記入力焦点面（ｆｉｎ）に配置されることを特徴とする装置。
【請求項１２】
請求項１１に記載の装置において、前記ビーム走査デバイス（８Ａ、８Ｂ）が前記細長い光学要素（１４Ａ、１４Ｂ）に沿って少なくとも２の別個の入力ビームを掃引するように構成され、各々の入力ビームが前記入力焦点面（ｆｉｎ）における別個の回転軸周りで掃引され、これによって前記細長い光学要素（１４Ａ、１４Ｂ）に別個の主方向を有する出力ビームを生成させることを特徴とする装置。
【請求項１３】
請求項１ないし１２のいずれかに記載の装置において、前記少なくとも２のビーム（Ｂ１ないしＢ６）が相互に鋭角となる第２の集合のビーム（Ｂ３、Ｂ５、Ｂ６）を具えており、前記照射機構が前記パネル（１）にわたる第２の主方向（Ｒ２）において、相互に鋭角となる前記第２の集合のビーム（Ｂ３、Ｂ５、Ｂ６）を掃引するように構成され、前記第２の集合における前記ビーム（Ｂ３、Ｂ５、Ｂ６）同士が、３０°以下、好適には２０°以下の最大鋭角を有することを特徴とする装置。
【請求項１４】
接触面（４）上にある少なくとも１の対象の位置を決定するための装置を動作させる方法であって、前記接触面（４）が、当該接触面（４）と対向面（５）とを規定するパネル（１）の一部であり、前記方法が：
前記接触面（４）と前記対向面（５）との間の内部反射による伝播用に少なくとも２のビーム（Ｂ１ないしＢ６）の放射線を前記パネル（１）に誘導し、感知領域内の前記接触面（４）に沿って各々のビーム（Ｂ１ないしＢ６）を掃引すべく照射機構を動作させるステップであって、これによって、前記感知領域内の前記接触面（４）に接触する対象が、前記少なくとも２のビーム（Ｂ１ないしＢ６）の一時的な減衰を生じさせ、これによって各々のビーム（Ｂ１ないしＢ６）が、前記感知領域の前記パネル（１）の下流上の細長い１以上の出力結合部位に沿って掃引されるステップと；
前記細長い１以上の出力結合部位内で受信される前記各々のビーム（Ｂ１ないしＢ６）のエネルギーを測定すべく、前記細長い１以上の出力結合部位に光学接続される少なくとも１の光センサ（３；３’）を動作させるステップと；
前記少なくとも１の光センサ（３；３’）から、時間の関数として各々の前記細長い１以上の出力結合部位内の異なる空間位置で受信される前記各々のビーム（Ｂ２ないしＢ６）のエネルギーを示す出力信号（Ｓ１、Ｓ２）を取得するステップと；
前記出力信号（Ｓ１、Ｓ２）に基づいて前記対象の位置を同定するステップと；を具えており、
前記照射機構を動作させるステップは、前記パネル（１）にわたる第１の主方向（Ｒ１）において相互に鋭角となる第１の集合のビーム（Ｂ１、Ｂ２、Ｂ４）を掃引するように前記照射機構を動作させるステップを含み、前記第１の集合のビーム（Ｂ１、Ｂ２、Ｂ４）が３０°以下、好適には２０°以下の最大鋭角を有することを特徴とする方法。
【請求項１５】
データ処理システムで実行される場合に、請求項１４に記載の方法を実行するように構成されるコンピュータコードを含むことを特徴とするコンピュータプログラム製品。